(57)【特許請求の範囲】
【請求項１】
コンテンツを提供するサーバと、
前記サーバから前記コンテンツが供給される端末装置と、
前記サーバから前記コンテンツが前記端末装置に供給されている供給時間を計測すると共に課金情報を記憶するＩＣカードと
を有し、
前記端末装置は、前記コンテンツの供給時間を示す時間情報を前記ＩＣカードに供給するカードリーダライタを有し、
前記ＩＣカードは、前記ＩＣカードが計測した供給時間と前記時間情報が示す供給時間との照合を行い、照合結果が一致した場合に前記供給時間に応じて前記課金情報を更新する
ネットワークシステム。
【請求項２】
前記カードリーダライタは、前記サーバから前記コンテンツが前記端末装置に供給されている供給時間中はクロック信号を前記ＩＣカードに供給し、
前記ＩＣカードは、前記クロック信号をカウントしてカウント値に基づき前記供給時間を計測する
請求項１記載のネットワークシステム。
【請求項３】
前記端末装置は、前記サーバからの前記コンテンツを出力する出力装置をさらに有し、
前記カードリーダライタは、前記出力装置が前記コンテンツを出力している出力時間中は前記クロック信号を前記ＩＣカードに供給し、
前記ＩＣカードは、前記出力装置のコンテンツ出力が所定時間中断して再開した場合には、中断直前のカウント値から前記クロック信号のカウントを再開する
請求項２記載のネットワークシステム。
【請求項４】
前記コンテンツは、映像および音声のデータを有し、
前記出力装置は、前記コンテンツを出力するテレビジョン受像機であり、
前記端末装置は、前記カードリーダライタを備えたセットトップボックスを有する
請求項３記載のネットワークシステム。
【請求項５】
サーバからコンテンツが供給される端末装置との間で通信を行うＩＣカードであって、
課金情報を記憶するメモリと、
前記サーバから前記コンテンツが前記端末装置に供給されている供給時間を計測する計測手段と、
前記端末装置から前記コンテンツの供給時間を示す時間情報を受け取る手段と、
前記計測手段が計測した供給時間と前記時間情報が示す供給時間との照合を行い、照合結果が一致した場合に前記供給時間に応じて前記課金情報を更新する制御手段と
を有する
ＩＣカード。
【請求項６】
前記サーバから前記コンテンツが前記端末装置に供給されている供給時間中は前記端末装置からクロック信号が供給され、供給された前記クロック信号をカウントするカウント手段をさらに有し、
前記計測手段は、前記カウント手段のカウント値に基づいて前記供給時間を計測する
請求項５記載のＩＣカード。
【請求項７】
前記カウント手段は、前記端末装置からの前記クロック信号の供給が所定時間中断して再開した場合には、中断直前のカウント値から前記クロック信号のカウントを再開する
請求項６記載のＩＣカード。
【発明の詳細な説明】
【０００１】
【発明の属する技術分野】
本発明は、サーバから端末装置にコンテンツを供給するネットワークシステムと、前記端末装置との間で通信を行うＩＣカードとに関する。
【０００２】
【従来の技術】
サーバから端末装置に映像および／または音楽のコンテンツを配信するネットワークシステムがある。
このネットワークシステムでは、例えば、端末装置はセットトップボックスを備え、コンテンツの供給時間に応じてセットトップボックスから銀行に利用金額情報が供給され、銀行口座から利用料金の引落しが行われる。
【０００３】
セットトップボックスにカードリーダライタを設け、ＩＣカードに課金情報を記憶させて供給時間（配信時間）に応じてＩＣカード内の課金情報を更新することも可能である。
従来のＩＣカードでは、カードリーダライタからクロック信号が供給され、このクロック信号を用いて所定のプロトコルで前記カードリーダライタとの通信を行うことが多い。
【０００４】
【発明が解決しようとする課題】
カードリーダライタからの時間情報に虚偽がある場合、ＩＣカードに時間計測機能がないときは、ＩＣカードで前記虚偽を検出することが困難である。更には、当該虚偽の情報に基づいてＩＣカードが信号処理を行うおそれがある。
このため、コンテンツを配信するネットワークシステムにおいて、ＩＣカード内の課金情報を前記供給時間に応じて更新する場合に、前記虚偽の情報に基づいてＩＣカード内の課金情報が更新されるおそれがある。
【０００５】
本発明の第１の目的は、サーバから端末装置にコンテンツを供給してＩＣカード内の課金情報を供給時間に応じて更新するネットワークシステムであって、前記課金情報の信頼性を向上可能なネットワークシステムを提供することにある。本発明の第２の目的は、サーバからコンテンツが供給される端末装置との間で通信を行い、供給時間に応じて課金情報を更新するＩＣカードであって、前記課金情報の信頼性を向上可能なＩＣカードを提供することにある。
【０００６】
【課題を解決するための手段】
本発明に係るネットワークシステムは、コンテンツを提供するサーバと、前記サーバから前記コンテンツが供給される端末装置と、前記サーバから前記コンテンツが前記端末装置に供給されている供給時間を計測すると共に課金情報を記憶するＩＣカードとを有し、前記端末装置は、前記コンテンツの供給時間を示す時間情報を前記ＩＣカードに供給するカードリーダライタを有し、前記ＩＣカードは、前記ＩＣカードが計測した供給時間と前記時間情報が示す供給時間との照合を行い、照合結果が一致した場合に前記供給時間に応じて前記課金情報を更新する。
【０００７】
本発明に係るネットワークシステムでは、好適には、前記カードリーダライタは、前記サーバから前記コンテンツが前記端末装置に供給されている供給時間中は前記ＩＣカードにクロック信号を供給し、前記ＩＣカードは、前記クロック信号をカウントしてカウント値に基づき前記供給時間を計測する。
【０００８】
本発明に係るネットワークシステムでは、より好適には、前記端末装置は、前記サーバからの前記コンテンツを出力する出力装置をさらに有し、前記カードリーダライタは、前記出力装置が前記コンテンツを出力している出力時間中は前記クロック信号を前記ＩＣカードに供給し、前記ＩＣカードは、前記出力装置のコンテンツ出力が所定時間中断して再開した場合には、中断直前のカウント値から前記クロック信号のカウントを再開する。
【０００９】
本発明に係るネットワークシステムでは、例えば、前記コンテンツは、映像および音声のデータを有し、前記出力装置は、前記コンテンツを出力するテレビジョン受像機であり、前記端末装置は、前記カードリーダライタを備えたセットトップボックスを有する構成としてもよい。
【００１０】
本発明に係るＩＣカードは、サーバからコンテンツが供給される端末装置との間で通信を行うＩＣカードであって、課金情報を記憶するメモリと、前記サーバから前記コンテンツが前記端末装置に供給されている供給時間を計測する計測手段と、前記端末装置から前記コンテンツの供給時間を示す時間情報を受け取る手段と、前記計測手段が計測した供給時間と前記時間情報が示す供給時間との照合を行い、照合結果が一致した場合に前記供給時間に応じて前記課金情報を更新する制御手段とを有する。
【００１１】
本発明に係るＩＣカードでは、好適には、前記サーバから前記コンテンツが前記端末装置に供給されている供給時間中は前記端末装置からクロック信号が供給され、供給された前記クロック信号をカウントするカウント手段をさらに有し、前記計測手段は、前記カウント手段のカウント値に基づいて前記供給時間を計測する。
【００１２】
本発明に係るＩＣカードでは、より好適には、前記カウント手段は、前記端末装置からの前記クロック信号の供給が所定時間中断して再開した場合には、中断直前のカウント値から前記クロック信号のカウントを再開する。
【００１３】
端末装置のカードリーダライタは、コンテンツの供給時間を示す時間情報をＩＣカードに供給する。
ＩＣカードは、ＩＣカードが計測した前記コンテンツの供給時間と、カードリーダライタからの前記時間情報が示す供給時間との照合を行う。そして、照合結果が一致した場合に、前記供給時間に応じて前記課金情報を更新する。
カードリーダライタからの時間情報に誤りがある場合は、照合結果は不一致となるので、この場合には前記ＩＣカード内の課金情報が前記時間情報に基づいて更新されることを防ぐことができる。
【００１４】
【発明の実施の形態】
以下、本発明の実施の形態を添付図面を参照して説明する。
【００１５】
ネットワークシステム
図１は、本発明に係るネットワークシステムの実施の形態を示す概略的なブロック構成図である。
このネットワークシステム５００は、サーバ３９０と、第１の端末装置１９０と、第２の端末装置２９０と、伝送媒体９０と、非接触式ＩＣカード１００と、接触式ＩＣカード２００とを有する。
【００１６】
サーバ３９０は、伝送媒体９０を介して第１および第２の端末装置１９０，２９０に接続されており、コンテンツを第１および第２の端末装置１９０，２９０に供給する。
【００１７】
ＩＣカード１００は、非接触式のＩＣカードであり、１チップマイクロコンピュータ（１チップマイコン）を有し、サーバ３９０から第１の端末装置１９０にコンテンツが供給されている供給時間Ｔａを計測すると共に、課金情報を記憶する。
【００１８】
ＩＣカード２００は、接触式のＩＣカードであり、１チップマイコンを有し、サーバ３９０から第２の端末装置２９０にコンテンツが供給されている供給時間Ｔｂを計測すると共に、課金情報を記憶する。
【００１９】
第１の端末装置１９０は、テレビジョン受像機（ＴＶ）１７０と、セットトップボックス（ＳＴＢ）１６０とを有する。
テレビジョン受像機１７０は、コンテンツを出力する出力装置の一例である。前記コンテンツは、例えば映像および音声のデータを有し、テレビジョン受像機１７０は、映像コンテンツを表示画面に表示し、音声コンテンツを音声出力する。
セットトップボックス１６０は、非接触式のカードリーダライタ（Ｒ／Ｗ）１５０を有し、このカードリーダライタ１５０によりＩＣカード１００と通信し、コンテンツの供給時間ＴＡを示す情報等をＩＣカード１００に供給し、ＩＣカード１００内の課金情報を供給時間ＴＡに応じて更新させる。
【００２０】
第２の端末装置２９０は、テレビジョン受像機２７０と、セットトップボックス２６０とを有する。
テレビジョン受像機２７０は、コンテンツを出力する出力装置の一例である。前記コンテンツは、映像および音声のデータを有し、テレビジョン受像機２７０は、映像コンテンツを表示画面に表示し、音声コンテンツを音声出力する。
セットトップボックス２６０は、接触式のカードリーダライタ２５０を有し、このカードリーダライタ２５０によりＩＣカード２００と通信し、コンテンツの供給時間ＴＢを示す情報等をＩＣカード２００に供給し、ＩＣカード２００内の課金情報を供給時間ＴＢに応じて更新させる。
【００２１】
ＩＣカード１００
図２は、非接触式のＩＣカード１００の構成を説明する概略ブロック構成図である。
このＩＣカード１００は、インタフェース手段（Ｉ／Ｆ手段）７５とマイクロコンピュータ（マイコン）７とを有する。
マイコン７は、Ｉ／Ｆ手段７５を介してカードリーダライタ１５０と通信し、種々の信号を送受する。Ｉ／Ｆ手段７５は、例えば、電波信号と電気信号との変換を行うコイル等の変換手段を有する。
【００２２】
カードリーダライタ１５０は、ＩＣカード１００に対し、クロック信号ＣＬＫ、コンテンツの供給時間ＴＡを示す時間情報、コンテンツの供給開始を示す第１の情報、コンテンツの供給終了を示す第２の情報、第３の情報、および、第４の情報等を供給する。
ＩＣカード１００は、カードリーダライタ１５０に対し、供給時間の照合結果を示す情報等を供給する。
【００２３】
マイコン７は、ＩＣカード１００の全体の制御を司るコントローラであり、不図示の中央処理装置（ＣＰＵ）とＲＯＭとＲＡＭとを有し、例えば１チップマイコンで構成する。
マイコン７は、検出手段７１と、カウント手段７２と、制御手段７３と、メモリ７４とを有する。
【００２４】
検出手段７１は、クロック信号ＣＬＫの周波数（クロック信号周波数）ｆｃが、予め決められた第１の周波数帯域Ｂｆ１内にあるか否かを判定する。そして、検出手段７１は、クロック信号周波数ｆｃが第１の周波数帯域Ｂｆ１内にある場合に、検出信号ＳＫを生成する。
この検出手段７１からの検出信号ＳＫにより、制御手段７３は、クロック信号周波数ｆｃが第１の周波数帯域Ｂｆ１内の周波数であることを知ることができる。
カウント手段７２は、クロック信号ＣＬＫをカウントし、カウント値を示す信号を制御手段７３に供給する。
【００２５】
制御手段７３は、第１〜第４の情報および時間情報が供給され、また、クロック信号ＣＬＫを用いて演算を行う。
更に、制御手段７３は、メモリ７４のアクセス制御を行い、例えば、クロック信号周波数ｆｃが第１の周波数帯域Ｂｆ１外にある場合は、カードリーダライタによるメモリ７４へのアクセスを禁止する。
【００２６】
制御手段７３は不図示の計測手段を有し、この計測手段は、前記第１の情報が供給されてから前記第２の情報が供給されるまでの経過時間ＴＡを、カウント手段７２のカウント数とクロック信号ＣＬＫの周波数ｆｃとに基づいて求める。
また、前記計測手段は、同様にして、第３の情報が供給されてから第４の情報が供給されるまでの経過時間を、カウント手段７２のカウント数とクロック信号ＣＬＫの周波数ｆｃとに基づいて求める。
一例として、制御手段７３内の前記計測手段は、検出手段７１から検出信号ＳＫが供給された場合に、カウント手段７２のカウント数と前記第１の周波数帯域Ｂｆ１内の周波数とに基づいて供給時間を算出する。
【００２７】
ＩＣカード１００の動作
次に、ＩＣカード１００の動作を、カードリーダライタ１５０の動作と共に説明する。
【００２８】
検出手段７１と、カウント手段７２と、制御手段７３と、メモリ７４とには、カードリーダライタ１５０からのクロック信号ＣＬＫが供給される。
検出手段７１は、クロック信号周波数ｆｃが、予め設定された第１の周波数帯域Ｂｆ１内にある場合に、検出信号ＳＫを生成して制御手段７３に供給する。
また、カウント手段７２は、クロック信号ＣＬＫをカウントし、カウント値を示す信号を制御手段７３に供給する。
【００２９】
カードリーダライタ１５０は、クロック信号ＣＬＫの生成以降に、第１および第２の情報を生成してＩＣカード１００に供給する。
制御手段７３は、前記第１および第２の情報を検出し、第１の情報を検出した時のカウント手段７２のカウント値ｃ１と第２の情報を検出した時のカウント手段７２のカウント値ｃ２とを内部メモリ７３Ｍに書き込んで記憶する。
なお、内部メモリ７３Ｍには、前記第１の周波数帯域Ｂｆ１の中心周波数Ｂｆ１ｃの値が予め記憶されている。
【００３０】
制御手段７３は、検出手段７１から検出信号ＳＫが供給されることで、クロック信号周波数ｆｃが前記第１の周波数帯域Ｂｆ１内にあることを検出する。
そして、制御手段７３内の前記計測手段は、前記カウント値ｃ１とカウント値ｃ２とのカウント差（ｃ２−ｃ１）と前記第１の周波数帯域Ｂｆ１内の周波数である前記中心周波数Ｂｆ１ｃとに基づき、前記第１の情報を検出してから第２の情報を検出するまでの経過時間Ｔａを算出し、算出結果を内部メモリ７３Ｍに書き込んで記憶する。
例えば、｜ｃ２−ｃ１｜÷（中心周波数Ｂｆ１ｃ）の演算を行うことで、経過時間Ｔａを算出することができる。
【００３１】
図３は、ＩＣカード１００の動作と時間との対応を示す説明図である。
時刻ｔ１０から時刻ｔ２０までにマイコン７が行う処理を第１のトランザクションとし、時刻ｔ３０から時刻ｔ４０までにマイコン７が行う処理を第２のトランザクションとしている。
【００３２】
制御手段７３は、時刻ｔ１０において第１の情報を検出すると、カウント手段７２のカウント値をリセットしてカウントを開始させる。
制御手段７３は、時刻ｔ２０において第２の情報を検出すると、カウント手段７２のカウントを停止させてカウント値ｃ２０を内部メモリ７３Ｍに記憶する。
【００３３】
制御手段７３は、時刻ｔ３０において第２のトランザクションの開始を示す第３の情報を検出し、さらにコンテンツの供給時間ＴＡを示す時間情報を検出する。そして、前記時間情報が示す供給時間ＴＡと、前記第１のトランザクションでカウントされたカウント値ｃ２０から算出した供給時間Ｔａとを照合する。
照合結果が一致を示す場合は、制御手段７３は、前記供給時間ＴＡまたはＴａに応じてメモリ７４内の課金情報を更新し、一致を示す情報または時間情報を認証したことを示す情報を生成してカードリーダライタ１５０に供給する。
照合結果が不一致を示す場合は、制御手段７３は、メモリ７４内の課金情報を更新せず、不一致を示す情報または時間情報を認証しないことを示す情報を生成してカードリーダライタ１５０に供給する。
【００３４】
カードリーダライタ１５０は、ＩＣカード１００から供給された一致または不一致を示す情報を検出し、第２のトランザクションの終了を示す第４の情報をＩＣカード１００に供給する。
制御手段７３は、時刻ｔ４０においてカードリーダライタ１５０からの第４の情報を検出する。
【００３５】
制御手段７３内の前記計測手段は、第１の情報を検出してから第２の情報を検出するまでの経過時間を、（カウント値ｃ２０）／（中心周波数Ｂｆ１ｃ）を計算することで求めることができる。
【００３６】
例えば、ｃ２０＝４０００００００００であり、中心周波数Ｂｆ１ｃ＝３．５７１２×１０6 （Ｈｚ）である場合には、供給時間Ｔａは、４０００００００００／（３．５７１２×１０6 ）＝１１２０（秒）となる。
第１の周波数帯域Ｂｆ１の下限が３．５７１２×１０6 ×０．９５（Ｈｚ）で、第１の周波数帯域Ｂｆ１の上限が３．５７１２×１０6 ×１．０５（Ｈｚ）である場合、経過時間Ｔａ＝１１２０×０．９５〜１１２０×１．０５（秒）であることを制御手段７３は検出することができる。
なお、第１の周波数帯域Ｂｆ１の上限および下限から求まる経過時間Ｔａの範囲内に前記時間情報が示す供給時間ＴＡが含まれる場合に、制御手段７３は照合が一致したと判定する構成としてもよい。
【００３７】
ＩＣカード２００
図４は、接触式のＩＣカード２００の構成を説明する概略ブロック構成図である。
このＩＣカード２００は、インタフェース手段（Ｉ／Ｆ手段）７６とマイコン７とを有する。
マイコン７は、Ｉ／Ｆ手段７６を介してカードリーダライタ２５０と通信し、種々の信号を送受する。Ｉ／Ｆ手段７６は、例えば、電気信号を入出力する外部接続端子を有する。
【００３８】
カードリーダライタ２５０は、ＩＣカード２００に対し、クロック信号ＣＬＫ、コンテンツの供給時間ＴＢを示す時間情報、コンテンツの供給開始を示す第１の情報、コンテンツの供給終了を示す第２の情報、第３の情報、および、第４の情報等を供給する。
ＩＣカード２００は、カードリーダライタ２５０に対し、供給時間の照合結果を示す情報等を供給する。
【００３９】
ＩＣカード２００のマイコン７の構成はＩＣカード１００のマイコン７と同様であり、その説明を省略する。
一方、ＩＣカード１００は、カードリーダライタ１５０との通信を行い、第１の端末装置１９０のコンテンツ供給時間Ｔａを計測し、カードリーダライタ１５０から供給される時間情報が示す供給時間ＴＡとの照合を行う。
他方、ＩＣカード２００は、カードリーダライタ２５０との通信を行い、第２の端末装置２９０のコンテンツ供給時間Ｔｂを計測し、カードリーダライタ２５０から供給される時間情報が示す供給時間ＴＢとの照合を行い、他の動作はＩＣカード１００と同様である。
このため、重複を避けるべく、ＩＣカード２００およびカードリーダライタ２５０の動作の説明を省略する。
【００４０】
本実施の形態のネットワークシステム５００では、ＩＣカード１００は、ＩＣカード１００が計測した供給時間Ｔａと、第１の端末装置１９０からの時間情報が示す供給時間ＴＡとを照合し、照合結果が一致した場合にのみ供給時間ＴＡまたはＴａに応じて課金情報を更新する。
したがって、第１の端末装置１９０からの時間情報に誤りがある場合には、照合結果は不一致となり、照合結果が不一致の場合には課金情報を更新しないので、誤った時間情報に基づいて課金情報が更新されることを防止することができ、ＩＣカード１００内の課金情報の信頼性を向上することができる。
【００４１】
また、ＩＣカード２００は、ＩＣカード２００が計測した供給時間Ｔｂと、第２の端末装置２９０からの時間情報が示す供給時間ＴＢとを照合し、照合結果が一致した場合にのみ供給時間ＴＢまたはＴｂに応じて課金情報を更新する。
したがって、第２の端末装置２９０からの時間情報に誤りがある場合には、照合結果は不一致となり、照合結果が不一致の場合には課金情報を更新しないので、誤った時間情報に基づいて課金情報が更新されることを防止することができ、ＩＣカード２００内の課金情報の信頼性を向上することができる。
【００４２】
ネットワークシステム５００において、カードリーダライタ１５０，２５０は、テレビジョン受像機などの出力装置がコンテンツを出力している出力時間中はクロック信号ＣＬＫをＩＣカード１００，２００に供給し、ＩＣカード１００，２００は、出力装置のコンテンツ出力が所定時間中断して再開した場合には、中断直前のカウント値からクロック信号ＣＬＫのカウントを再開する構成とし、カードリーダライタ１５０，２５０は、前記時間情報として前記出力時間を示す時間情報をＩＣカード１００，２００に供給する構成としてもよい。
このようにすることで、出力装置がコンテンツを出力している期間に応じて課金を行うことができ、例えば出力装置の故障等によりコンテンツを受信できなかった時間帯やコンテンツを出力できなかった時間帯が発生した場合に、当該時間帯について課金することを防ぐことができる。
【００４３】
なお、ＩＣカード１００，２００において、メモリ７４をマイコン７の外部に設けてもよい。メモリ７４および内部メモリ７３Ｍは、強誘電体メモリにより構成してもよい。
前記コンテンツとして、映像および音声のデータを例示したが、映像と音声の何れか一方のデータとしてもよく、ネットワークシステム５００により、例えば、映画、音楽、講義、ニュース等を提供してもよい。
また、ネットワークシステム５００を、ＬＡＮ（Local Area Network）により構成してもよく、ケーブルテレビジョン放送に適用してもよい。
また、上記実施の形態は本発明の例示であり、本発明は上記実施の形態に限定されない。
【００４４】
【発明の効果】
本発明に係るネットワークシステムでは、端末装置のカードリーダライタからの時間情報に誤りがある場合は、ＩＣカードでの供給時間の照合結果は不一致となるので、この場合にはＩＣカード内の課金情報が前記時間情報に基づいて更新されることを防止することができ、ＩＣカード内の課金情報の信頼性を向上することができる。
このように、本発明によれば、サーバから端末装置にコンテンツを供給してＩＣカード内の課金情報を供給時間に応じて更新するネットワークシステムであって、課金情報の信頼性を向上可能なネットワークシステムを提供することができる。
【００４５】
本発明に係るＩＣカードでは、端末装置からの時間情報に誤りがある場合は、ＩＣカードでの供給時間の照合結果は不一致となるので、この場合にはＩＣカード内の課金情報が前記時間情報に基づいて更新されることを防止することができ、ＩＣカード内の課金情報の信頼性を向上することができる。
このように、本発明によれば、サーバからコンテンツが供給される端末装置との間で通信を行い、供給時間に応じて課金情報を更新するＩＣカードであって、前記課金情報の信頼性を向上可能なＩＣカードを提供することができる。
【図面の簡単な説明】
【図１】本発明に係るネットワークシステムの実施の形態を示す概略的なブロック構成図である。
【図２】接触式のＩＣカード１００の構成を説明する概略ブロック構成図である。
【図３】接触式のＩＣカード１００の動作と時間との対応を示す説明図である。
【図４】非接触式のＩＣカード２００の構成を説明する概略ブロック構成図である。
【符号の説明】
７…マイクロコンピュータ（マイコン）、７１…検出手段、７２…カウント手段、７３…制御手段、７３Ｍ…内部メモリ、７４…メモリ、７５，７６…インタフェース手段（Ｉ／Ｆ手段）、９０…伝送媒体、１００…ＩＣカード（非接触式ＩＣカード）、１５０，２５０…カードリーダライタ（Ｒ／Ｗ）、１６０，２６０…セットトップボックス（ＳＴＢ）、１７０，２７０…テレビジョン受像機（ＴＶ）、１９０…第１の端末装置、２００…ＩＣカード（接触式ＩＣカード）、２９０…第２の端末装置、３９０…サーバ、５００…ネットワークシステム。
【図１】
0004242521.tif 000002
【図２】
0004242521.tif 000003
【図３】
0004242521.tif 000004
【図４】
0004242521.tif 000005